(57)【要約】 【課題】予備の角型電池を保護する電池保護ケースを提供する。【解決手段】本発明の電池保護ケースは角型電池3を収納する凹部22Hを有する内装保護ケース22を備え、また前記内装保護ケースを収納する外装保護ケース1を備えることを特徴とする。また、内装保護ケース2は弾力性のある材料によってなり、外装保護ケース1はプラスチック材料によってなる。内装保護ケース2は上面部21と下面部22とを有しており、該下面部22に設けられた凹部22Hは底面部22Tと、凹部22Hの一延在方向における両端に夫々設けられた段部22D、22Dとを有する。【選択図】  図２
2010067461.tif 000002
【特許請求の範囲】
【請求項１】
厚みのある四角形板状の角型電池(3)を収納する凹部(22H)を有する内装保護ケース(2)を備え、また前記内装保護ケース(2)を収納する外装保護ケース(1)を備えることを特徴とする電池保護ケース。
【請求項２】
前記内装保護ケース(2)は上面部(21)と下面部(22)とを有しており、該下面部(22)に設けられた前記凹部(22H)は底面部(22T)と、前記凹部(22H)の一延在方向における両端に夫々設けられた段部(22D,22D)とを有することを特徴とする特徴とする請求項１の電池保護ケース。
【請求項３】
前記凹部(22H)の前記一延在方向に対応した対応一延在方向の寸法が小なる角型電池Ａタイプ(3A)を収納する場合は、前記角型電池Ａタイプ下面部(3AT)と前記内装保護ケース(2)の前記底面部(22T)とが密接し、さらに前記角型電池Ａタイプ上面部(3AU)と前記内装保護ケース(2)の上面部(21)とが密接することにより前記角型電池Ａタイプ(3A)を狭持する第一収納部(22A)を備え、
前記対応一延在方向の寸法が大なる角型電池Ｂタイプ(3B)を収納する場合は、前記角型電池Ｂタイプ下面部(3BT)における前記対応一延在方向両端部と段部(22D,22D)とが密接し、さらに前記角型電池Ｂタイプ上面部(3BU)と前記内装保護ケース(2)の上面部(21)とが密接することにより前記角型電池Ｂタイプ(3B)を狭持する第二収納部(22B)を備えることを特徴とする請求項２に記載の電池保護ケース。
【請求項４】
前記上面部(21)及び前記下面部(22)は弾力性のある材料が使用され、さらに外装保護ケース(1)は前記上面部(21)を収納する外装保護ケース上部(11)を備え、また前記下面部(22)を収納する外装保護ケース下部(12)を備えることを特徴とする請求項２に記載の電池保護ケース。
【請求項５】
前記外装保護ケース上部(11)と前記外装保護ケース下部(12)は一体成形されたヒンジ部(1H)を介して互いに開閉自在に連結されており、また前記外装保護ケース上部(11)は係止凹部(13)を有し、前記外装保護ケース下部(12)は係止凸部(14)を有し、前記係止凹部(13)と前記係止凸部(14)とが嵌合することによって前記外装保護ケース上部(11)と前記外装保護ケース下部(12)との連結を可能とすることを特徴とする請求項４に記載の電池保護ケース。
【請求項６】
前記外装保護ケース（１）はプラスチック材料であることを特徴とする請求項１に記載の電池保護ケース。
【発明の詳細な説明】
【技術分野】
【０００１】
本発明は、携帯可能な薄型電池の電池保護ケースに関する。  
【背景技術】
【０００２】
近年、電池を電源として用いる各種電子機器において、長時間の使用ができるように、スペアーの電池を携帯する必要性が生じた。従来の技術では、下記の特許文献１に開示されるように、円筒形電池をチャック３付きの袋に入れて、包装することが開示されている。
【特許文献１】実開平４−５９０６０
【発明の開示】
【発明が解決しようとする課題】
【０００３】
上記の特許文献１に開示される携帯可能な電池保護ケースは円筒形電池を収納、保持するものであり、近年携帯電話や、各種電子機器に用いられている薄型電池を収納、保持できる電池保護ケースは開発されていない。また、日常携帯するため、外部からの衝撃に対してより耐久性及び耐衝撃性を向上させる構造を有する電池保護ケースの必要性がある。
【課題を解決するための手段】
【０００４】
本発明の電池保護ケースは厚みのある四角形板状の角型電池３を収納する凹部２２H を有する内装保護ケース２を備え、また前記内装保護ケース２を収納する外装保護ケース１を備えることを特徴とする。
【０００５】
更に、本発明の電池保護ケースの前記内装保護ケース２は上面部２１と下面部２２を有しており、下面部２２に設けられている前記凹部２２Hは底面部２２Tと、前記凹部２２Hの延在方向両端に夫々設けられた段部２２D、２２Dとを有し、前記段部２２D、２２Dは前期底面部２２Tより浅く設けられていることを特徴とする。更に、延在方向の寸法が小なる角型電池Ａタイプ３Aを収納する場合は、前記角型電池Ａタイプ下面部３ATと前記内装保護ケース２の前記底面部２２Tとが密接し、さらに前記角型電池Ａタイプ上面部３AUと前記内装保護ケース２の上面部２１とが密接することにより前記角型電池Ａタイプ３Aを狭持する第一収納部２２Aを備え、延在方向の寸法が大なる角型電池Ｂタイプ３Bを収納する場合は、前記角型電池Ｂタイプ下面部３BTにおける延在方向両端部と段部２２Dとが密接し、さらに前記角型電池Ｂタイプ上面部３BUと前記内装保護ケース２の上面部２１とが密接することにより前記角型電池Ｂタイプ３Bを狭持する第二収納部２２Bを備えることを特徴とする。
【０００６】
また更に、本発明の前記内装保護ケース２は前記上面部２１及び前記下面部２２は弾力性のある材料が使用され、さらに外装保護ケース１は前記上面部２１を収納する外装保護ケース上部１１を備え、また前記下面部２２を収納する外装保護ケース下部１２を備えることを特徴とする。
【０００７】
また、前記外装保護ケース上部１１と前記外装保護ケース下部１２はヒンジ部１Hを介して互いに開閉自在に連結されており、また前記外装保護ケース上部１１は係止凹部１３を有し、前記外装保護ケース下部１２は係止凸部１４を有し、前記係止凹部１３と前記係止凸部１４とが嵌合することによって前記外装保護ケース上部１１と前記外装保護ケース下部１２との結合を可能とすることを特徴とする。
【０００８】
更に、本発明の前記外装保護ケース１はプラスチック材料であることを特徴とする。
【発明の効果】
【０００９】
本発明の請求項１の電池保護ケースにおいて、スペアーとして持ち運ぶ角型電池を衝撃や、貴金属等が電池端子に触れ短絡することから保護することができる。また、携帯電話に搭載される角型電池は機種によって寸法が異なるため、一定の寸法の収納部では対応できない角型電池が生じてしまうが、本発明の電池保護ケースは収納可能な角型電池の寸法の許容範囲を大きくでき、また安定的に角型電池を保持できる効果がある。
【００１０】
本発明の請求項２の電池保護ケースにおいて、内装保護ケースが上面部と下面部の二面を設けていることによって、角型電池の上面と下面より安定した力によって保持することができる。凹部の底面部に、小なる角型電池を収納することができ、一延在方向における両端に設けられた段部に、大なる角型電池を収納することができる。よって、大きさが異なる角型電池を、確実に収納することができる。
【００１１】
本発明の請求項３の電池保護ケースにおいて、現在採用されている携帯電話用電池パックのサイズは、２分類に大別できる。一つは延在方向小なる角型電池Aタイプは、内装保護ケースの底面部と上面部によって形成される第一収納部によって、この角型電池Aタイプを精確な位置において収納でき、且十分に狭持することができる。さらに一つは延在方向大なる角型電池Bタイプは、内装保護ケースの段部と上面部によって形成される第二収納部によって、該角型電池Bタイプを精確な位置において、十分に狭持することができる。
第一収納部及び第二収納部によって、大きく寸法の異なる角型電池Aタイプと角型電池Bタイプを精確に狭持し、収納することができる。
【００１２】
本発明の請求項４の電池保護ケースにおいて、内装保護ケースが弾力性のある材料からなることによって、角型電池Aタイプ及び角型電池Bタイプの収納可能許容範囲は大きくすることができ、確実に角型電池を狭持することができる。また、弾力性のある材料によって高い衝撃吸収力を得られる。
さらに、外装保護ケース上部及び下部を有することで、電池保護ケースの上面と下面に対する外部からの力に対して強度の向上をはかることができ、電池保護ケース内に収納されている角型電池への荷重も低減することができ、また、該電池保護ケースを容易に携帯できる。
【００１３】
本発明の請求項５に記載の電池保護ケースにおいて、外装保護ケース両部を、ヒンジ部を介して一体成形することによって、ヒンジ部と外装保護ケース両部との接続を強固にでき、揺動開閉によるヒンジ部及びその周辺への荷重に耐えることができる設計とした。また、一体化によって部品の削減及び、製造工程の簡略化が可能となった。外装保護ケース両部の紛失の防止の効果もある。
また、外装保護ケース上部に係止凹部を、外装保護ケース下部に係止凸部を有することによって、外装保護ケースに対する外部からの力に対して、収納されている角型電池の落下防止及び、電池保護ケースの分解を阻止する効果がある。
【００１４】
請求項６に記載の外装保護ケースにおいて、外装保護ケースがプラスチック材料であることによって、電池保護ケースの耐衝撃強度向上となる。
【発明を実施するための最良の形態】
【００１５】
以下、本発明の実施例を図面に基づいて説明する。ただし、以下に示す実施例は、本発明の技術思想を具体化するための電池保護ケースを例示するものであって、本発明は電池保護ケースを下記のものに特定しない。さらに、この明細書は特許請求の範囲を理解し易いように、実施例に示される部材に対応する番号を、「特許請求の範囲の欄」、及び「課題を解決するための手段の欄」に示される部材に付記している。ただ、特許請求の範囲に示される部材を、実施例の部材に特定するものでは決してない。
【００１６】
本実施例の電池保護ケース５は、電池保護ケース５が角型電池３を収納し、保持する状態のとき、外周の形状が四角形であり、高さの低い直方体の箱型形状である。つまり、厚みのある四角形（正方形又は長方形）板状である。角型電池３の一側面には、出力端子３Ｔ、３Ｔが設けられている。また、電池保護ケース５の外側においては、外周の形状が四角形である外装保護ケース１を備えている。外装保護ケース１はプラスチック材料からなり、箱型形状を上下に分割した形状である外装保護ケース上部１１と、外装保護ケース下部１２とを備え、これらを連結する一体成形されたヒンジ部１Hを備え、外装保護ケース上部１１と外装保護ケース下部１２とは、ヒンジ部を介して一体成形されている。また、ヒンジ部によって外装保護ケース上部１１と外装保護ケース下部１２とが自在に揺動開閉できる。
【００１７】
また、外装保護ケース上部１１には、外装保護ケース１を閉じた状態で、外装保護ケース上部１１の側面から垂下して延在する板状係止片１３Hを有し、ここに開口した係止凹部１３を備えている。外装保護ケース下部１２の側面に係止凸部１４を有している。係止凹部１３と係止凸部１４とが係合することによって外装保護ケース上部１１と外装保護ケース下部１２とを結合できて、外装保護ケース１、つまり、電池保護ケース５を閉じた状態とすることができる。
【００１８】
さらに、外装保護ケース上部１１、外装保護ケース下部１２は、箱型形状を上下に分割した形状であるので、外装保護ケース上部１１は内装保護ケース２の上面部２１を収納する為の外装保護ケース上凹部１１Ｈを備えており、また外装保護ケース下部１２は内装保護ケース２の下面部２２を収納する為の外装保護ケース下凹部１２Ｈを備えている。
【００１９】
内装保護ケース２は弾性力のある材料である弾性部材（クッション材）、例えば、合成樹脂からなるスポンジからなり、概略４角形（正方形又は長方形）板状の上面部２１及び概略４角形（正方形又は長方形）板状の下面部２２を備えている。下面部２２には角型電池を収納するため、概略４角形（正方形又は長方形）板状の空洞に相当する凹部２２Ｈが設けられており、凹部２２Ｈは底面部２２Ｔと凹部２２Hの一延在方向（図２に矢印Ｘで示す方向）両端に夫々設けられた二つの段部２２Ｄ、２２Ｄとを有している。段部２２Ｄは底面部２２Ｔより浅く設けられている。実施例においては、段部２２Ｄは底面部２２Ｔより１．５ｍｍ高い位置に設けられている。
【００２０】
電池保護ケース５、外装保護ケース１、内装保護ケース２を閉じた状態で、角型電池３を収納するとき、内装保護ケース２の上面部２１と凹部２２Hの底面部２２Tにより、第一収納部２２Aができ、内装保護ケース２の上面部２１と凹部２２Hの段部２２D、２２Dにより、第二収納部２２Ｂができる。
第一収納部２２Aによって、後述する角型電池Ａタイプ３Aは収納され、第二収納部２２Ｂによって後述する角型電池３Ｂは収納される。
【００２１】
ここで、現在採用されている携帯電話用電池パックのサイズは、２分類に大別できる。
一つは、角型電池３の出力端子３Ｔの面から反対側面への方向である（図２に示す矢印Ｘ方向）対応一延在方向の寸法が小なる角型電池Aタイプであり、該角型電池Aタイプは面積小、厚み大のタイプである。
【００２２】
さらに一つは上述の対応一延在方向の寸法が大なる角型電池Bタイプであり、角型電池Bタイプは面積大、厚み薄のタイプである。
【００２３】
実施例において、角型電池Ａタイプ３Ａとは角型電池３の対応一延在方向の長さが、両段部２２Ｄ、２２Ｄ間の長さ（図２の寸法Ｙ）より短い寸法の角型電池３のことを指す。
また、角型電池Ｂタイプ３Ｂとは角型電池３の延在方向の長さが、両段部２２Ｄ、２２Ｄ間の長さより長い寸法の角型電池３のことを指す。
【００２４】
電池保護ケース５、外装保護ケース１、内装保護ケース２を閉じた状態で、角型電池Ａタイプ３Aを収納するとき、即ち第一収納部２２Ａにおける収納の場合、角型電池Ａタイプ下面部３ATと底面部２２Tとが密接し、さらに角型電池Ａタイプ上面部３AUと上面部２１とが密接することにより角型電池Ａタイプ３Aを狭持している。このとき、角型電池Ａタイプの延在方向両端の側面と段部２２Ｄの側壁とは接していない。また、別の寸法の角型電池Ａタイプにおいては、延在方向両端の側面と段部２２Ｄの側壁とは接しても良い。
【００２５】
電池保護ケース５、外装保護ケース１、内装保護ケース２を閉じた状態で、角型電池Ｂタイプ３Bを収納するときは、即ち第二収納部２２Ｂにおける収納場合、角型電池Ｂタイプ下面部３BTにおける延在方向両端部と両段部２２D、２２Ｄ上面とがそれぞれ密接し、さらに角型電池Ｂタイプ上面部３BUと内装保護ケース２の上面部２１とが密接することにより角型電池Ｂタイプ３Bを狭持している。角型電池Ａタイプ下面部３ATと底面部２２Tとが接する面積に比べ、角型電池Ｂタイプ下面部３BTと両段部２２D、２２Ｄとが接する面積は小さいが、図５、図６で確認できるように、角型電池Ｂタイプ３Ｂは角型電池Ａタイプ３Ａより上面部２１を押し上げて、押圧されない状態から上面部２１が変形する寸法が大きくなることより、その分、弾性部材の弾性力（復元力）による力が大きいため、上面部２１が角型電池Ａタイプ上面部３AUを押圧する力より、上面部２１が角型電池Ｂタイプ上面部３BUを押圧する力の方がより強く、角型電池Ｂタイプ３Ｂは第二収納部２２Ｂによって十分狭持され、保持されている。
【００２６】
下記に本実施例における電池保護ケース５の凹部２２Ｈ（第一収納部（２２A）、第二収納部（２２B））の寸法と角型電池Ａタイプ、Ｂタイプの寸法範囲を示したものである。これらの寸法は、本実施例の一例を示しているもので、これら寸法は適宜変更できる。
（Ｗ、Ｌ、Ｈ寸法については、図２に矢印を用いて示されている。）
角型電池Ａタイプ３Ａ及び第一収納部２２Ａの寸法について                        
第一収納部内寸      角型電池Ａタイプサイズ      （単位ｍｍ）
Ｗ寸法            ４０            ３５．８〜３８．９
Ｌ寸法            ４２          ３８．２５〜４２．０
Ｈ寸法            ５                ５．１〜６．１５
角型電池Ｂタイプ３Ｂ及び第二収納部２２Ｂの寸法について
第二収納部内寸      角型電池Ｂタイプサイズ      （単位ｍｍ）  
Ｗ寸法            ４０            ３５．３〜３８．４５
Ｌ寸法            ５７          ４５．４５〜５６．５
Ｈ寸法            ３．５          ４．０５〜４．７
【図面の簡単な説明】
【００２７】
【図１】本発明の一実施例にかかる電池保護ケースの斜視図である。
【図２】本発明の一実施例にかかる電池保護ケースの分解斜視図である。
【図３】第一収納部に角型電池Ａタイプが収納され、外装保護ケースが開いている状態を示す斜視図である。
【図４】第二収納部に角型電池Ｂタイプが収納され、外装保護ケースが開いている状態を示す状態を示す斜視図である。
【図５】（ａ）は図３において外装保護ケースが閉じられたとき、延在方向における断面を示した図である。（ｂ）は図３において延在方向における断面を示した図である。
【図６】（ａ）は図４において外装保護ケースが閉じられたとき、延在方向における断面を示した図である。（ｂ）は図４において延在方向における断面を示した図である。
【符号の説明】
【００２８】
１    …外装保護ケース
１１  …外装保護ケース上部
１１Ｈ…外装保護ケース上凹部
１２  …外装保護ケース下部
１２Ｈ…外装保護ケース下凹部
１Ｈ  …ヒンジ部
１３  …係止凹部
１４  …係止凸部
２    …内装保護ケース
２１  …上面部
２２  …下面部
２２Ａ…第一収納部
２２Ｂ…第二収納部
２２Ｄ…段部
２２Ｈ…凹部
２２Ｔ…底面部
３    …角型電池
３Ｔ  …出力端子
３Ａ  …角型電池Ａタイプ
３ＡＵ…角型電池Ａタイプ上面部
３ＡＴ…角型電池Ａタイプ下面部
３Ｂ  …角型電池Ｂタイプ
３ＢＵ…角型電池Ｂタイプ上面部
３ＢＴ…角型電池Ｂタイプ下面部
５    …電池保護ケース
【図１】
2010067461.tif 000003
【図２】
2010067461.tif 000004
【図３】
2010067461.tif 000005
【図４】
2010067461.tif 000006
【図５】
2010067461.tif 000007
【図６】
2010067461.tif 000008